【手続補正書】
【提出日】平成16年10月1日(2004.10.1)
【手続補正１】
【補正対象書類名】特許請求の範囲
【補正対象項目名】全文
【補正方法】変更
【補正の内容】
【特許請求の範囲】
【請求項１】
ワイヤレス通信システム内で複数の基地局を時間同期させる方法において、
ａ）複数の同期していない基地局の少なくとも１つを検出し、
ａ１）前記少なくとも１つの同期していない基地局よりも良好な時間同期品質を有する基地局を判定し、
ｂ）前記良好な時間同期品質の基地局によって測定されるセルタイミング信号を含む複数のセルタイミング信号を測定し、
ｃ）前記セルタイミング信号測定値に基づいて、複数の同期していない基地局の前記少なくとも１つよりも不良な時間同期品質を有するいずれの基地局からのタイミング信号測定値も用いずに、複数の同期していない基地局の前記少なくとも１つを補正する
ことを特徴とする複数の基地局を時間同期させる方法。
【請求項２】
前記ステップ（ａ）が、
ｄ）共分散行列データベースを更新し、
ｅ）前記複数のセルタイミング信号から少なくとも１つの同期していない基地局を判定する
ことを特徴とする請求項１に記載の方法。
【請求項３】
ステップ（ｂ）が、
無線ネットワークコントローラ（ＲＮＣ）から前記同期していない基地局の少なくとも１つへ基地局到着時刻（ＢＳＴＯＡ）値を求める要求を送出し、
前記ＢＳＴＯＡ値を送信する
ことを特徴とする請求項１に記載の方法。
【請求項４】
ステップ（ｂ）が、
無線ネットワークコントローラ（ＲＮＣ）から前記同期していない基地局の少なくとも１つへ基地局到着時刻（ＢＳＴＯＡ）値を求める要求を送出し、
前記ＢＳＴＯＡ値を送信する
ことを特徴とする請求項２に記載の方法。
【請求項５】
前記ステップ（ｂ）が、
ｆ）無線ネットワークコントローラ（ＲＮＣ）から複数のユーザ機器（ＵＥ）の少なくとも１つへ基地局到着時刻（ＢＳＴＯＡ）値を求める要求を送出し、前記同期していない基地局を測定し、
ｇ）前記ＢＳＴＯＡ値を送信する
ことを特徴とする請求項１に記載の方法。
【請求項６】
前記ステップ（ｂ）が、
ｆ）無線ネットワークコントローラ（ＲＮＣ）から複数のユーザ機器の少なくとも１つへ基地局到着時刻（ＢＳＴＯＡ）値を求める要求を送出し、前記同期していない基地局を測定し、
ｇ）前記ＢＳＴＯＡ値を送信する
ことを特徴とする請求項２に記載の方法。
【請求項７】
前記補正するステップ（ｃ）が、
前記ＢＳＴＯＡ値を格納されているＢＳＴＯＡ値と比較し、
補正メッセージを生成し、
前記同期していない基地局へ前記補正メッセージを送信し、
前記同期していない基地局から前記ＲＮＣへ報告を送信し、
前記共分散行列データベースを更新する
ことを特徴とする請求項３に記載の方法。
【請求項８】
前記補正するステップ（ｃ）が、
前記ＢＳＴＯＡ値を、格納されているＢＳＴＯＡ値と比較し、
補正メッセージを生成し、
前記同期していない基地局へ前記補正メッセージを送信し、
前記同期していない基地局から前記ＲＮＣへ報告を送信し、
前記共分散行列データベースを更新する
ことを特徴とする請求項４に記載の方法。
【請求項９】
前記ＲＮＣ上に前記共分散行列データベースを維持管理することをさらに含むことを特徴とする請求項７に記載の方法。
【請求項１０】
前記ＲＮＣ上に前記共分散行列データベースを維持管理することをさらに含むことを特徴とする請求項８に記載の方法。
【請求項１１】
少なくとも１つの同期していない基地局または少なくとも１つのＵＥが少なくとも２つの異なるＲＮＣの制御下にあり、前記方法が、さらに、
前記少なくとも２つの異なるＲＮＣ間に通信路を確立し、
基地局同期を実行する
ことを特徴とする請求項９に記載の方法。
【請求項１２】
少なくとも１つの同期していない基地局または少なくとも１つのＵＥが少なくとも２つの異なるＲＮＣの制御下にあり、前記方法が、さらに、
前記少なくとも２つの異なるＲＮＣ間に通信路を確立し、
基地局同期を実行する
ことを特徴とする請求項１０に記載の方法。
【請求項１３】
ワイヤレス通信システム内で基地局の対を自律的に時間同期させる方法において、
前記対の他方の基地局よりも不良な時間同期品質を有する近隣の同期していない基地局を検出し、
前記検出された近隣の基地局によって測定されるセルタイミング信号を含む複数のセルタイミング信号を測定し、
前記対の前記他方の基地局を含み、前記検出された近隣の基地局よりも不良な時間同期品質を有する基地局を含まない、ＲＮＣのデータベースから取得される値から、前記近隣の同期していない基地局を補正する
ことを特徴とする方法。
【請求項１４】
ワイヤレス通信システム内で複数の基地局の少なくとも１つを独立の時間基準と時間同期させる方法において、
共分散行列データベースおよび前記独立の時間基準から時間同期メッセージを生成すること、および
複数の基地局の少なくとも１つへ前記時間同期メッセージを送信することであって、該時間同期メッセージは、複数の基地局の該少なくとも１つよりも不良な時間同期品質を有するいずれの基地局からの時間同期情報にも基づかない、前記時間同期メッセージを送信すること
を含むことを特徴とする方法。
【請求項１５】
ワイヤレス通信システム内で複数の基地局の少なくとも１つを独立の周波数基準と周波数同期させる方法において、
共分散行列データベースおよび前記独立の周波数基準から周波数同期メッセージを生成すること、および
複数の基地局の少なくとも１つへ前記周波数同期メッセージを送信することであって、該周波数同期メッセージは、複数の基地局の前記少なくとも１つよりも不良な周波数同期品質を有するいずれの基地局からの周波数同期情報にも基づかない、前記周波数同期メッセージを送信すること
を含むことを特徴とする方法。
【請求項１６】
ＲＮＣが共分散行列データベースから複数の補正値を推定するワイヤレス通信システム内で複数のスレーブ基地局に時間同期および周波数同期の一方を提供する方法において、
複数のスレーブ基地局内の時間基準を同期させること、
前記共分散行列データベースから複数の時間値および周波数値の推定値を生成すること、および
前記複数のスレーブ基地局へ前記複数の時間値および周波数値を送信することであって、該複数の時間値および周波数値が、基準としての最良の時間同期および周波数同期を有するマスタ基地局を用いて導出される、前記複数の時間値および周波数値を送信すること
を含むことを特徴とする方法。
【請求項１７】
ワイヤレス通信システム内で最小限の回数のサービス中断を用いて複数の基地局を時間同期させる方法において、
ａ）複数の基地局の少なくとも１つの複数のセルタイミング測定をスケジューリングすること、
ｂ）前記セルタイミング測定を行うことであって、該セルタイミング測定は、複数の基地局の前記少なくとも１つよりも高いタイミング同期品質を有する基地局によってのみ行われる、前記セルタイミング測定を行うこと、
ｃ）前記複数の基地局の前記少なくとも１つに対する複数の時間ドリフトファクタ値を生成すること、および
ｄ）前記複数の基地局の前記少なくとも１つへの定期的な時間更新送信をスケジューリングすること
を含むことを特徴とする方法。
【請求項１８】
ステップ（ｂ）が、
前記複数の基地局でダウンリンク物理同期チャネルをブランキングし、
複数の基地局の１つでバースト信号を受信し、
前記複数の基地局の前記１つで前記バースト信号を測定する
ことを特徴とする請求項１７に記載の方法。
【請求項１９】
ステップ（ｄ）が、最大許容時間差に対するドリフト値の関係に基づいて定期的な時間更新を決定することを特徴とする請求項１７に記載の方法。
【請求項２０】
ワイヤレス通信システム内で最小限の回数のサービス中断を用いて複数の基地局を周波数同期させる方法において、
複数の基地局の少なくとも１つの複数の周波数測定をスケジューリングすること、
前記セルタイミング測定を行うことであって、該セルタイミング測定は、複数の基地局の前記少なくとも１つよりも高い周波数同期品質を有する基地局によってのみ行われる、前記セルタイミング測定を行うこと、
前記複数の基地局の前記少なくとも１つに対する複数の周波数ドリフトパターン値を生成すること、および
前記複数の基地局の前記少なくとも１つへの定期的な周波数更新送信をスケジューリングすること
を含むことを特徴とする方法。
【請求項２１】
前記行うステップが、
前記複数の基地局でダウンリンク物理同期チャネルをブランキングし、
複数の基地局の１つでバースト信号を受信し、
複数の基地局の前記１つで前記バースト信号を測定する
ことを特徴とする請求項２０に記載の方法。
【請求項２２】
複数の他の基地局の少なくとも１つに時間同期する能力を有するワイヤレスディジタルシステム用基地局（ＢＳ）において、該基地局が、
複数の同期していない基地局の少なくとも１つを検出する手段であって、複数の同期していない基地局の該少なくとも１つが該基地局よりも不良な時間同期品質を有する、検出する手段と、
複数のセルタイミング信号値を測定する手段と、
同期していない基地局の前記少なくとも１つを補正する手段であって、該補正は、複数の同期していない基地局の前記少なくとも１つよりも不良な時間同期品質を有するいずれの基地局のセルタイミング信号値も用いない、補正する手段と
を備えたことを特徴とする基地局。
【請求項２３】
前記検出する手段が、
前記複数のセルタイミング信号値で共分散行列データベースを更新する手段と、
複数のセルタイミング信号の少なくとも１つから同期していない基地局を判定する手段と
を含むことを特徴とする請求項２２に記載の基地局。
【請求項２４】
前記同期していない基地局が、基地局到着時刻（ＢＳＴＯＡ）値を測定し送出する手段を有することを特徴とする請求項２２に記載の基地局。
【請求項２５】
前記同期していない基地局が、基地局到着時刻（ＢＳＴＯＡ）値を測定し送出する手段を有することを特徴とする請求項２３に記載の基地局。
【請求項２６】
前記補正する手段が、
前記少なくとも１つの同期していない基地局のＢＳＴＯＡ値を前記共分散行列データベース内にある格納されているＢＳＴＯＡ値と比較する手段を含み、
前記同期していない基地局が、
補正メッセージを受信し、報告を送信することによって応答する手段と、前記同期していない基地局について該報告からのデータから前記共分散行列データベースを更新する手段とを有する
ことを特徴とする請求項２４に記載の基地局。
【請求項２７】
前記補正する手段が、
前記少なくとも１つの同期していない基地局のＢＳＴＯＡ値を前記共分散行列データベース内にある格納されているＢＳＴＯＡ値と比較する手段を含み、
前記同期していない基地局が、
補正メッセージを受信し、報告を送信することによって応答する手段と、前記同期していない基地局について該報告からのデータから前記共分散行列データベースを更新する手段とを有する
ことを特徴とする請求項２５に記載の基地局。
【請求項２８】
複数の同期していないスレーブ基地局をマスタ基地局に時間同期させる能力を有するワイヤレスディジタルシステム用基地局（ＢＳ）において、該マスタ基地局が、
複数の同期していないスレーブ基地局の少なくとも１つを検出する手段と、
複数のセルタイミング信号を測定する手段と、
複数の同期していないスレーブ基地局の前記少なくとも１つを補正する手段と
を備えたことを特徴とする基地局。
【請求項２９】
複数の同期していないスレーブ基地局をマスタ基地局に周波数同期させる能力を有するワイヤレスディジタルシステム用基地局（ＢＳ）において、該マスタ基地局が、
複数の同期していないスレーブ基地局の少なくとも１つを検出する手段と、
複数のセルタイミング信号を測定する手段と、
複数の同期していないスレーブ基地局の前記少なくとも１つを補正する手段と
を備えたことを特徴とする基地局。
【請求項３０】
複数の他の基地局を独立の時間基準に時間同期させる能力を有するワイヤレスディジタルシステム用基地局（ＢＳ）において、該基地局が、
時間同期メッセージを生成する手段と、
前記時間同期メッセージを複数の他の基地局へ送信する手段であって、それによって、該基地局よりも良好な時間同期品質を有する基地局のみから受信される該時間同期メッセージのタイミングが時間同期タイミングを更新するために使用される、送信する手段と
を備えたことを特徴とする基地局。
【請求項３１】
複数の他の基地局を独立の周波数基準に周波数同期させる能力を有するワイヤレスディジタルシステム用基地局（ＢＳ）において、該基地局が、
周波数同期メッセージを生成する手段と、
前記周波数同期メッセージを複数の他の基地局へ送信する手段であって、それによって、該基地局よりも良好な時間同期品質を有する基地局のみから受信される該周波数同期メッセージのタイミングが時間同期タイミングを更新するために使用される、送信する手段と
を備えたことを特徴とする基地局。
【請求項３２】
複数の他の基地局を時間同期させる能力を有するワイヤレスディジタルシステム用基地局（ＢＳ）において、該基地局が、
複数の他の基地局の少なくとも１つからの複数の時間同期測定をスケジューリングする手段と、
前記複数の他の基地局の前記少なくとも１つに対する時間同期ドリフトパターンを生成する手段と、
前記複数の他の基地局の前記少なくとも１つへの定期的な更新送信をスケジューリングする手段と
を備えたことを特徴とする基地局。
【請求項３３】
複数の基地局で複数のダウンリンク物理同期チャネルをブランキングする手段と、
該複数の基地局の少なくとも１つへバースト信号を送出し、前記複数の基地局の少なくとも１つからのＢＳＴＯＡ値を測定する手段と
を備えたことを特徴とする請求項３２に記載の基地局。
【請求項３４】
複数の他の基地局を時間同期させる能力を有し、時間同期に必要なサービス中断を最小限にするワイヤレスディジタルシステム用基地局（ＢＳ）において、該基地局が、
複数の他の基地局の少なくとも１つからの複数の時間同期測定をスケジューリングする手段と、
前記複数の他の基地局の前記少なくとも１つに対する時間同期ドリフトパターンを生成する手段と、
前記複数の他の基地局の前記少なくとも１つへの定期的な周波数更新送信をスケジューリングする手段と
を備えたことを特徴とする基地局。
【請求項３５】
複数の基地局で複数のダウンリンク物理同期チャネルをブランキングする手段と、
複数の基地局の少なくとも１つへバースト信号を送出し、複数の基地局の少なくとも１つからのＢＳＴＯＡ値を測定する手段と
をさらに備えたことを特徴とする請求項３４に記載の基地局。
【請求項３６】
ワイヤレスディジタルシステム内で複数の基地局の１つを同期させるためのワイヤレスディジタルシステム用ユーザ機器（ＵＥ）において、該ＵＥが、
基地局を同期させることを求める要求を受信する手段と、
前記１つの基地局および前記複数の基地局のうちの少なくとも１つの残りの基地局に対するＢＳＴＯＡ値を取得する手段であって、該複数の基地局のうちの該少なくとも１つの残りの基地局が複数の基地局の前記１つよりも良好な時間同期品質を有する、ＢＳＴＯＡ値を取得する手段と、
前記ＢＳＴＯＡ値を送信する手段と
を備えたことを特徴とするＵＥ。
【請求項３７】
前記複数の基地局を複数の無線ネットワークコントローラ（ＲＮＣ）の制御下に置く手段を有することを特徴とする請求項３６に記載のＵＥ。
【請求項３８】
前記ＲＮＣの１つへ前記ＢＳＴＯＡ値を送信する手段をさらに含むことを特徴とする請求項３７に記載のＵＥ。
【請求項３９】
ワイヤレス通信システム内での時間同期方法において、
複数の同期していない基地局の少なくとも１つを検出し、
複数のセルタイミング信号を測定し、
複数の同期していない基地局の前記少なくとも１つよりも不良な時間同期品質を有する基地局からのいずれの測定されたセルタイミング信号も用いずに、複数の同期していない基地局の該少なくとも１つを補正する
ことを特徴とする方法。
【請求項４０】
前記検出するステップが、
無線ネットワークコントローラ（ＲＮＣ）の共分散行列データベースを更新し、
複数のセルタイミング信号の少なくとも１つから同期していない基地局を判定する
ことを特徴とする請求項３９に記載の方法。
【請求項４１】
前記測定するステップが、
前記ＲＮＣから前記同期していない基地局の少なくとも１つへ基地局到着時刻（ＢＳＴＯＡ）値を求める要求を送出し、
前記ＲＮＣへ前記ＢＳＴＯＡ値を送信する
ことを特徴とする請求項４０に記載の方法。
【請求項４２】
前記測定するステップが、
前記ＲＮＣから前記同期していない基地局の少なくとも１つへ基地局到着時刻（ＢＳＴＯＡ）値を求める要求を送出し、
前記ＲＮＣへ前記ＢＳＴＯＡ値を送信する
ことを特徴とする請求項４１に記載の方法。
【請求項４３】
前記測定するステップが、
前記ＲＮＣから複数のユーザ機器の少なくとも１つへ基地局到着時刻（ＢＳＴＯＡ）値を求める要求を送出し、前記同期していない基地局を測定し、
前記ＲＮＣへ前記ＢＳＴＯＡ値を送信する
ことを特徴とする請求項３４に記載の方法。
【請求項４４】
前記測定するステップが、
前記ＲＮＣから複数のユーザ機器の少なくとも１つへ基地局到着時刻（ＢＳＴＯＡ）値を求める要求を送出し、前記同期していない基地局を測定し、
前記ＲＮＣへ前記ＢＳＴＯＡ値を送信する
ことを特徴とする請求項３５に記載の方法。
【請求項４５】
前記補正するステップが、
前記ＢＳＴＯＡ値を前記ＲＮＣの共分散行列データベース内に格納されているＢＳＴＯＡ値と比較し、
前記同期していない基地局へ補正メッセージを送信し、
前記同期していない基地局から前記ＲＮＣへ報告を送信し、
前記共分散行列データベースを更新する
ことを特徴とする請求項４３に記載の方法。
【請求項４６】
前記補正するステップが、
前記ＢＳＴＯＡ値を前記ＲＮＣの共分散行列データベース内に格納されているＢＳＴＯＡ値と比較し、
前記同期していない基地局へ補正メッセージを送信し、
前記同期していない基地局から前記ＲＮＣへ報告を送信し、
前記共分散行列データベースを更新する
ことを特徴とする請求項４４に記載の方法。
【請求項４７】
少なくとも１つの同期していない基地局または少なくとも１つのＵＥが少なくとも２つの異なるＲＮＣの制御下にあり、
前記少なくとも２つの異なるＲＮＣ間に通信路を確立するステップと、
時間同期を実行するステップと
を含むことを特徴とする請求項４５に記載の方法。
【請求項４８】
少なくとも１つの同期していない基地局または少なくとも１つのＵＥが少なくとも２つの異なるＲＮＣの制御下にあり、
前記少なくとも２つの異なるＲＮＣ間に通信路を確立するステップと、
時間同期を実行するステップと
を含むことを特徴とする請求項４６に記載の方法。
【請求項４９】
ワイヤレス通信システム内での自律的時間同期方法において、
近隣の同期していない基地局を検出し、
複数のセルタイミング信号を測定し、
複数の同期していない基地局の前記少なくとも１つよりも不良な時間同期品質を有する基地局からのいずれの測定されたセルタイミング信号も用いずに、ＲＮＣのデータベースからの値から複数の同期していない基地局の該少なくとも１つを補正する
ことを特徴とする方法。
【請求項５０】
ワイヤレス通信システム内で同期していない基地局をマスタ基地局に時間同期させる方法において、
ａ）前記同期していない基地局の少なくとも１つを検出し、
ｂ）複数のセルタイミング信号を測定し、
ｃ）ステップ（ｂ）に基づいて、補正されるそれぞれの同期していない基地局について、該同期していない基地局よりも不良な時間同期品質を有する基地局からのいずれの測定されたセルタイミング信号も用いずに、前記同期していない基地局を補正する
ことを特徴とする方法。
【請求項５１】
ワイヤレス通信システム内で複数の同期していない基地局の１つをマスタ基地局に周波数同期させる方法において、
ａ）複数の同期していない基地局の前記１つを検出し、
ｂ）複数のセルタイミング信号を測定し、
ｃ）ステップ（ｂ）に基づいて、補正されるそれぞれの同期していない基地局について、該同期していない基地局よりも不良な周波数同期品質を有する基地局からのいずれの測定されたセルタイミング信号も用いずに、複数の同期していない基地局の前記少なくとも１つを補正する
ことを特徴とする方法。
【請求項５２】
ＲＮＣを有するワイヤレス通信システム内で基地局を所定の時間基準と時間同期させる方法において、
前記ＲＮＣのデータベースから時間同期メッセージを生成すること、および
複数の基地局の少なくとも１つへ前記時間同期メッセージを送信することであって、該時間同期メッセージは、複数の基地局の前記少なくとも１つよりも不良な時間同期品質を有するいずれの基地局からの測定値にも基づかない、前記時間同期メッセージを送信すること
を含むことを特徴とする方法。
【請求項５３】
ＲＮＣを有するワイヤレス通信システム内で基地局を所定の周波数基準と周波数同期させる方法において、
前記ＲＮＣのデータベースから周波数同期メッセージを生成すること、および
複数の基地局の少なくとも１つへ前記時間同期メッセージを送信することであって、該周波数同期メッセージは、複数の基地局の前記少なくとも１つよりも不良な周波数同期品質を有するいずれの基地局からの測定値にも基づかない、前記時間同期メッセージを送信すること
を含むことを特徴とする方法。
【請求項５４】
ＲＮＣがデータベースから複数の補正値を推定するワイヤレス通信システム内で基地局の時間同期および周波数同期の一方を取得する方法において、
複数の基地局内の時間基準を同期させること、
複数の時間値および周波数値の推定値を生成すること、および
前記複数の基地局へ前記複数の時間値および周波数値を送信することであって、該複数の基地局の１つへ送信される該時間値および周波数値は、該１つの基地局よりも不良な時間および周波数同期品質を有する基地局からの測定値に基づかない、前記複数の時間値および周波数値を送信すること
を含むことを特徴とする方法。
【請求項５５】
前記ＲＮＣが、前記基地局の１つをマスタ基地局として指定し、所与の補正値を使用して、前記複数の基地局を該マスタ基地局に同期させることを特徴とする請求項５４に記載の方法。
【請求項５６】
ワイヤレス通信システム内で少ない回数のサービス中断で基地局を時間同期させる方法において、
前記複数の基地局の少なくとも１つからの複数の時間同期測定をスケジューリングし、
前記複数の基地局の前記少なくとも１つに対する複数の時間ドリフトパターン値を生成し、
前記複数の基地局の前記少なくとも１つへの定期的な更新送信をスケジューリングする
ことを特徴とする方法。
【請求項５７】
ワイヤレス通信システム内で最小限の回数のサービス中断を用いて基地局を周波数同期させる方法において、
複数の基地局の少なくとも１つからの複数の周波数測定をスケジューリングし、
前記複数の基地局の前記少なくとも１つに対する複数の周波数ドリフトパターン値を生成し、
前記複数の基地局の前記少なくとも１つへの定期的な周波数更新送信をスケジューリングする
ことを特徴とする方法。
【請求項５８】
ワイヤレス通信システム内で複数の基地局に時間同期および周波数同期の一方を提供する方法において、ＲＮＣが、該複数の基地局のうちマスタ基地局として指定された基地局へ補正値を送出し、
残りの基地局のそれぞれに重みを割り当て、
前記マスタ基地局が最高の重みの基地局へ補正値を送出し、
前記最高の重みの基地局が次に高い重みの基地局へ補正値を送出する
ことを特徴とする方法。
【請求項５９】
前記次に高い重み値よりも低い重み値を有する前記残りの基地局が、自己の重み値のすぐ上の重み値を有する基地局から補正値を受信し、自己の重み値のすぐ下の重み値を有する基地局へ補正値を送出することを特徴とする請求項５８に記載の方法。
【請求項６０】
ＲＮＣが補正値を送出するワイヤレス通信システム内で複数の基地局に時間同期および周波数同期の一方を提供する方法において、
前記マスタ基地局が残りのすべての基地局へ補正値を送出する
ことを特徴とする方法。